(57)【要約】【課題】リモコン装置の誤操作を防止して各電子機器に対するリモコン操作を容易にする複合電子装置を提供する。【解決手段】例えば、ＤＶＤモード切換キー３５ａが押下されると、ＤＶＤモード切換キー３５ａの操作に対応するＤＶＤ認識用ＬＥＤ３８が点灯される。ＶＣＲモード切換キー３５ｂが押下されると、ＶＣＲモード切換キー３５ｂの押下に対応するＶＣＲ認識用ＬＥＤ３９が点灯される。これにより、設定された送信モードがどの電子機器に対応するモードであるかを知ることができる。また、動作指令キー３の何れかが押下されたとき、動作指令キー３が操作される直前までの送信モード情報に応じて当該操作対象を示すＤＶＤ認識用ＬＥＤ３８またはＶＣＲ認識用ＬＥＤ３９が点灯される。これにより、現在設定されている送信モードがどの電子機器に対応するモードであるかを知ることができる。【選択図】図３
2007189599.tif 000002
【特許請求の範囲】
【請求項１】
異なるキーコード信号を送信するリモコン装置により操作され、異なる機能をそれぞれ有する複数の電子機器を備えた複合電子装置であって、
前記リモコン装置は、複数の電子機器のうちの操作対象を指定するための押下型スイッチまたはスライド型スイッチで実現されるモード切換キーに対応して設けられた複数の送信モード認識用発光素子と、前記モード切換キーが操作されたとき、前記複数の送信モード認識用発光素子のうち当該モード切換キーの操作に対応する送信モード認識用発光素子を点灯させる第１の発光素子点灯手段と、当該モード切換キー以外の操作キーである動作指令キーが押下されたとき、当該動作指令キーが操作される直前までの送信モード情報に応じて当該操作対象を示す送信モード認識用発光素子を点灯させる第２の発光素子点灯手段と、キーコード信号の送信動作後、所定時間経過したとき、点灯されている送信モード認識用発光素子を消灯させる発光素子消灯手段とを含む構成を有し、
前記複合電子装置は、複数の電子機器にそれぞれ対応して設けられ同色または異なる色で発光する複数の動作モード認識用発光素子と、前記リモコン装置から受信したキーコード信号が示す操作対象の電子機器に対応した動作モード認識用発光素子を点灯させる発光素子点灯手段、または／および前記リモコン装置から受信したキーコード信号が示す操作対象の電子機器の名称を表示部に表示させる名称表示手段とを含む構成を有することを特徴とする複合電子装置。
【請求項２】
異なるキーコード信号を送信するリモコン装置により操作され、異なる機能をそれぞれ有する複数の電子機器を備えた複合電子装置であって、
前記リモコン装置は、複数の電子機器のうちの操作対象を指定するための押下型スイッチまたはスライド型スイッチで実現されるモード切換キーに対応して設けられた複数の送信モード認識用発光素子と、前記モード切換キーが操作されたとき、前記複数の送信モード認識用発光素子のうち当該モード切換キーの操作に対応する送信モード認識用発光素子を点灯させる第１の発光素子点灯手段とを含む構成を有し、
前記複合電子装置は、複数の電子機器にそれぞれ対応して設けられ同色または異なる色で発光する複数の動作モード認識用発光素子と、前記リモコン装置から受信したキーコード信号が示す操作対象の電子機器に対応した動作モード認識用発光素子を点灯させる発光素子点灯手段とを含む構成を有することを特徴とする複合電子装置。
【請求項３】
前記リモコン装置は、当該モード切換キー以外の操作キーである動作指令キーが押下されたとき、当該動作指令キーが操作される直前までの送信モード情報に応じて当該操作対象を示す送信モード認識用発光素子を点灯させる第２の発光素子点灯手段を備えたことを特徴とする請求項２に記載の複合電子装置。
【請求項４】
前記リモコン装置は、キーコード信号の送信動作後、所定時間経過したとき、点灯されている送信モード認識用発光素子を消灯させる発光素子消灯手段を備えたことを特徴とする請求項２または請求項３に記載の複合電子装置。
【請求項５】
前記複合電子装置は、前記リモコン装置から受信したキーコード信号が示す操作対象の電子機器の名称を表示部に表示させる名称表示手段を備えたことを特徴とする請求項２に記載の複合電子装置。
【発明の詳細な説明】
【技術分野】
【０００１】
本発明は、異なるキーコード信号を送信するリモコン装置により操作され、異なる機能をそれぞれ有する複数の電子機器（例えばＤＶＤ（Digital Versatile Disc）レコーダおよびＶＣＲ（Video Cassette Recorder）など ）を備えた複合電子装置に関し、特に、リモコン装置の送信モードを表示する機能を備えた複合電子装置に関する。
【背景技術】
【０００２】
近年、複数の電子機器、例えば、ＤＶＤレコーダとＶＣＲなどが組み込まれた複合電子装置が普及している。このような複合電子装置内の各電子機器を操作する場合、リモコン装置からのそれぞれ異なるキーコード信号により行われる。リモコン装置により、例えば、ＶＣＲを操作するときは、リモコンのモード切換キーをＶＣＲ送信モード側に切り換え、また、ＤＶＤレコーダを操作するときは、リモコンのモード切換キーをＤＶＤ送信モード側に切り換えることによって、ＶＣＲまたはＤＶＤレコーダを操作している。
【特許文献１】特開２００２−３１５０８０号公報
【特許文献２】実登３０９３７２２号公報
【特許文献３】特開２００５−１１７１６０号公報
【発明の開示】
【発明が解決しようとする課題】
【０００３】
ところが、ユーザが、リモコン装置のモード切換キーを操作せずに、このモード切換キー以外の操作キーである共通化された動作指令キーを操作した場合、所望の電子機器と異なるキーコード信号がリモコン装置から送信されると、動作指令キーを操作したにも拘わらず所望の電子機器が動作せず、所望の電子機器からの映像音声を視聴することができなくなる場合がある。
【０００４】
例えば、ＤＶＤレコーダを動作させ、ＤＶＤレコーダにより再生された映像音声がテレビジョン受像機で出力されている状態のときに、その間にＶＣＲにセットされたビデオカセットテープの巻き戻しを行いたい場合、リモコン装置のモード切換キーをＶＣＲ送信モード側に切り換え、巻き戻しキーを操作すると、ビデオカセットテープが巻き戻しされる。そして、このときは、ユーザは、ＤＶＤレコーダによる再生映像音声をテレビジョン受像機で視聴しているので、ＤＶＤレコーダを操作して再生を停止したい場合や、一時停止したい場合が生じたとき、リモコン装置のモード切換キーをＤＶＤ送信モード側に切り換えるのを忘れて、リモコン装置の停止キーや一時停止キーを操作しても、ＤＶＤレコーダに対しては操作ができなくなる。
【０００５】
その原因は、リモコン装置の送信モードは、キー操作する直前の送信モードに設定されているためであるが、従来の複合電子装置では、リモコン装置の現在設定されている送信モードが、ＶＣＲ側であるかＤＶＤ側であるかがユーザには分からず、直前の送信モードがＶＣＲ側に設定されていれば、ＤＶＤレコーダを操作することができないので、ユーザは、リモコン装置が故障したと勘違いし、メーカや販売店に問い合わせるなどの課題が生じる。
【０００６】
なお、特許文献１の従来技術では、操作可能な複数の電子機器の中から操作したい電子機器を、ＶＣＲモード切換キー、ＴＶモード切換キー、ＤＶＤモード切換キーで選択し、選択された電子機器を操作できるキーと、選択されたモード切換キーとを同色で点灯表示させ、また、選択されたモード切換キーを点滅させることも可能になるように構成しているが、リモコン装置の直前の送信モードが、ＶＣＲ側であるかＴＶ側であるかＤＶＤ側であるかがユーザには分からず、例えば、直前の送信モードがＶＣＲ側に設定されていれば、ＴＶやＤＶＤレコーダを操作することができないので、この従来技術も、ユーザは、リモコン装置が故障したと勘違いし、メーカや販売店に問い合わせるなどの課題が生じる。
【０００７】
特許文献２の従来技術では、リモコン装置の送信モードを切り換えるモード切換キーと、複合電子装置の動作モードの切り換えを指令する動作指令キーとの何れかが操作されたとき、そのリモコン信号を送信し、リモコン装置の送信モードを表示する２色のＬＥＤを所定時間点滅して、リモコン装置の送信モードを表示するように構成している。この構成により、例えば、赤色ＬＥＤが所定時間点滅すれば、リモコン装置の送信モードがＶＣＲ側に設定されていることが分かり、緑色ＬＥＤが所定時間点滅すれば、リモコン装置の送信モードがＤＶＤ側に設定されていることが分かるが、赤色ＬＥＤの点滅がＶＣＲ側の送信モードであり、緑色ＬＥＤの点滅がＤＶＤ側の送信モードであることを忘れた場合、誤操作を行うと、所望の電子機器を操作できなくなり、これにより、ユーザは、リモコン装置が故障したと勘違いし、メーカや販売店に問い合わせるなどの課題が生じる。
【０００８】
特許文献３の従来技術では、リモコン装置から送信されたリモコン信号を受信したリモコン信号が複合電子装置の出力モードに対応したコードのリモコン信号であるか否かを判別し、受信したリモコン信号が複合電子装置の出力モードと異なる場合、リモコン信号のコードが複合電子装置の出力モードとなることをモニタ装置の画面に表示されるように構成されているが、リモコン装置を操作する前に、リモコン装置の現在の送信モードが、ＶＣＲ側であるかＤＶＤ側であるかがユーザには分からず、直前の送信モードがＶＣＲ側に設定されていれば、ＤＶＤレコーダを操作することができないので、リモコン装置が故障したと勘違いし、メーカや販売店に問い合わせるなどの課題が生じる。
【０００９】
本発明は、上記のような課題を解決するためになされたもので、リモコン装置の誤操作を防止して各電子機器に対するリモコン操作を容易にする複合電子装置を提供することを目的とする。
【課題を解決するための手段】
【００１０】
上記目的を達成するために、請求項１の発明は、異なるキーコード信号を送信するリモコン装置により操作され、異なる機能をそれぞれ有する複数の電子機器を備えた複合電子装置であって、前記リモコン装置は、複数の電子機器のうちの操作対象を指定するための押下型スイッチまたはスライド型スイッチで実現されるモード切換キーに対応して設けられた複数の送信モード認識用発光素子と、前記モード切換キーが操作されたとき、前記複数の送信モード認識用発光素子のうち当該モード切換キーの操作に対応する送信モード認識用発光素子を点灯させる第１の発光素子点灯手段と、当該モード切換キー以外の操作キーである動作指令キーが押下されたとき、当該動作指令キーが操作される直前までの送信モード情報に応じて当該操作対象を示す送信モード認識用発光素子を点灯させる第２の発光素子点灯手段と、キーコード信号の送信動作後、所定時間経過したとき、点灯されている送信モード認識用発光素子を消灯させる発光素子消灯手段とを含む構成を有し、前記複合電子装置は、複数の電子機器にそれぞれ対応して設けられ同色または異なる色で発光する複数の動作モード認識用発光素子と、前記リモコン装置から受信したキーコード信号が示す操作対象の電子機器に対応した動作モード認識用発光素子を点灯させる発光素子点灯手段、または／および前記リモコン装置から受信したキーコード信号が示す操作対象の電子機器の名称を表示部に表示させる名称表示手段とを含む構成を有することを特徴とする複合電子装置を提供する。
【００１１】
この構成において、リモコン装置のモード切換キーが操作されたとき、複数の送信モード認識用発光素子のうち当該モード切換キーの操作に対応する送信モード認識用発光素子が第１の発光素子点灯手段により点灯される。動作指令キーが押下されたとき、当該動作指令キーが操作される直前までの送信モード情報に応じて当該操作対象を示す送信モード認識用発光素子が第２の発光素子点灯手段により点灯される。キーコード信号の送信動作後、所定時間経過したとき、前記点灯されている送信モード認識用発光素子は発光素子消灯手段により消灯される。
【００１２】
前記複合電子装置では、前記リモコン装置から受信したキーコード信号が示す操作対象の電子機器に対応した動作モード認識用発光素子が発光素子点灯手段により点灯される。または／および前記リモコン装置から受信したキーコード信号が示す操作対象の電子機器の名称が名称表示手段により表示される。
【００１３】
この構成によれば、モード切換キーを操作すれば、該当する送信モード認識用発光素子が点灯し、設定された送信モードがどの電子機器に対応するモードであるかを、ユーザは知ることができ、また、動作指令キーを操作すれば、該当する送信モード認識用発光素子が点灯し、リモコン装置の現在設定されている送信モードがどの電子機器に対応するモードであるかを、ユーザは知ることができ、これらにより、リモコン装置の誤操作を防止して、各電子機器に対するリモコン操作を容易にする。更に、複合電子装置では、リモコン装置から受信したキーコード信号が示す操作対象の電子機器に対応した動作モード認識用発光素子を点灯させ、または／およびリモコン装置から受信したキーコード信号が示す操作対象の電子機器の名称を表示部に表示させるので、複合電子装置の現在の動作モードを確認することができる。
【００１４】
このように、リモコン装置側に送信モード認識用発光素子を設けると共に、複合電子装置側に動作モード認識用発光素子を設けることにより、ユーザは、リモコン操作を確実に認識できて、誤操作を防止でき、装置の使い勝手が向上する。また、これにより、ユーザは、リモコン装置が故障していると勘違いして、メーカや販売店に問い合わせるなどのようなことがなくなる。また、キーコードの送信動作後、所定時間経過したとき、点灯されている送信モード認識用発光素子を消灯させるので、リモコン装置の内部電池の消耗を減らすことができる。
【００１５】
請求項２の発明は、異なるキーコード信号を送信するリモコン装置により操作され、異なる機能をそれぞれ有する複数の電子機器を備えた複合電子装置であって、前記リモコン装置は、複数の電子機器のうちの操作対象を指定するための押下型スイッチまたはスライド型スイッチで実現されるモード切換キーに対応して設けられた複数の送信モード認識用発光素子と、前記モード切換キーが操作されたとき、前記複数の送信モード認識用発光素子のうち当該モード切換キーの操作に対応する送信モード認識用発光素子を点灯させる第１の発光素子点灯手段とを含む構成を有し、前記複合電子装置は、複数の電子機器にそれぞれ対応して設けられ同色または異なる色で発光する複数の動作モード認識用発光素子と、前記リモコン装置から受信したキーコード信号が示す操作対象の電子機器に対応した動作モード認識用発光素子を点灯させる発光素子点灯手段とを含む構成を有することを特徴とする複合電子装置を提供する。
【００１６】
この構成において、リモコン装置のモード切換キーが操作されたとき、複数の送信モード認識用発光素子のうち当該モード切換キーの操作に対応する送信モード認識用発光素子が第１の発光素子点灯手段により点灯される。
【００１７】
複合電子装置では、リモコン装置から受信したキーコード信号が示す操作対象の電子機器に対応した動作モード認識用発光素子が発光素子点灯手段により点灯される。
【００１８】
この構成によれば、モード切換キーを操作すれば、該当する送信モード認識用発光素子が点灯し、設定された送信モードがどの電子機器に対応するモードであるかを、ユーザは知ることができ、これにより、リモコン装置の誤操作を防止して、各電子機器に対するリモコン操作を容易にする。更に、複合電子装置では、リモコン装置から受信したキーコード信号が示す操作対象の電子機器に対応した動作モード認識用発光素子を点灯させるので、複合電子装置の現在の動作モードを確認することができる。
【００１９】
このように、リモコン装置側に送信モード認識用発光素子を設けると共に、複合電子装置側に動作モード認識用発光素子を設けることにより、ユーザは、リモコン操作を確実に認識できて、誤操作を防止でき、装置の使い勝手が向上する。また、これにより、ユーザは、リモコン装置が故障していると勘違いして、メーカや販売店に問い合わせるなどのようなことがなくなる。
【００２０】
請求項３の発明では、請求項２の発明において、前記リモコン装置は、当該モード切換キー以外の操作キーである動作指令キーが押下されたとき、当該動作指令キーが操作される直前までの送信モード情報に応じて当該操作対象を示す送信モード認識用発光素子を点灯させる第２の発光素子点灯手段を備えたので、動作指令キーを操作すれば、該当する送信モード認識用発光素子を点灯させることができることにより、リモコン装置の現在設定されている送信モードがどの電子機器に対応するモードであるかを、ユーザは知ることができる。
【００２１】
請求項４の発明では、請求項２または請求項３の発明において、前記リモコン装置は、キーコード信号の送信動作後、所定時間経過したとき、点灯されている送信モード認識用発光素子を消灯させる発光素子消灯手段を備えたので、キーコード信号の送信動作後、所定時間経過したとき、点灯されている送信モード認識用発光素子を消灯させることができ、これにより、リモコン装置の内部電池の消耗を減らすことができる。
【００２２】
請求項５の発明では、請求項２の発明において、前記複合電子装置は、リモコン装置から受信したキーコード信号が示す操作対象の電子機器の名称を表示部に表示させる名称表示手段を備えたので、複合電子装置の現在の動作モードを文字で確認することができる。
【発明の効果】
【００２３】
以上のように本発明によれば、異なるキーコード信号を送信するリモコン装置により操作され、異なる機能をそれぞれ有する複数の電子機器を備えた複合電子装置であって、前記リモコン装置は、複数の電子機器のうちの操作対象を指定するための押下型スイッチまたはスライド型スイッチで実現されるモード切換キーに対応して設けられた複数の送信モード認識用発光素子と、前記モード切換キーが操作されたとき、前記複数の送信モード認識用発光素子のうち当該モード切換キーの操作に対応する送信モード認識用発光素子を点灯させる第１の発光素子点灯手段と、当該モード切換キー以外の操作キーである動作指令キーが押下されたとき、当該動作指令キーが操作される直前までの送信モード情報に応じて当該操作対象を示す送信モード認識用発光素子を点灯させる第２の発光素子点灯手段と、キーコード信号の送信動作後、所定時間経過したとき、点灯されている送信モード認識用発光素子を消灯させる発光素子消灯手段とを含む構成を有し、前記複合電子装置は、複数の電子機器にそれぞれ対応して設けられ同色または異なる色で発光する複数の動作モード認識用発光素子と、前記リモコン装置から受信したキーコード信号が示す操作対象の電子機器に対応した動作モード認識用発光素子を点灯させる発光素子点灯手段とを含む構成、または／および前記リモコン装置から受信したキーコード信号が示す操作対象の電子機器の名称を表示部に表示させる名称表示手段を含む構成を有するので、モード切換キーを操作すれば、該当する送信モード認識用発光素子が点灯し、設定された送信モードがどの電子機器に対応するモードであるかを、ユーザは知ることができ、また、動作指令キーを操作すれば、該当する送信モード認識用発光素子が点灯し、リモコン装置の現在設定されている送信モードがどの電子機器に対応するモードであるかを、ユーザは知ることができ、これらにより、リモコン装置の誤操作を防止して、各電子機器に対するリモコン操作を容易にする。更に、複合電子装置では、リモコン装置から受信したキーコード信号が示す操作対象の電子機器に対応した動作モード認識用発光素子を点灯させ、または／およびリモコン装置から受信したキーコード信号が示す操作対象の電子機器の名称を表示部に表示させるので、複合電子装置の現在の動作モードを確認することができる。
【００２４】
このように、リモコン装置側に送信モード認識用発光素子を設けると共に、複合電子装置側に動作モード認識用発光素子を設けることにより、ユーザは、リモコン操作を確実に認識できて、誤操作を防止でき、装置の使い勝手が向上する。また、これにより、ユーザは、リモコン装置が故障していると勘違いして、メーカや販売店に問い合わせるなどのようなことがなくなる。また、キーコードの送信動作後、所定時間経過したとき、点灯されている送信モード認識用発光素子を消灯させるので、リモコン装置の内部電池の消耗を減らすことができる。
【００２５】
また、本発明によれば、異なるキーコード信号を送信するリモコン装置により操作され、異なる機能をそれぞれ有する複数の電子機器を備えた複合電子装置であって、前記リモコン装置は、複数の電子機器のうちの操作対象を指定するための押下型スイッチまたはスライド型スイッチで実現されるモード切換キーに対応して設けられた複数の送信モード認識用発光素子と、前記モード切換キーが操作されたとき、前記複数の送信モード認識用発光素子のうち当該モード切換キーの操作に対応する送信モード認識用発光素子を点灯させる第１の発光素子点灯手段とを含む構成を有し、前記複合電子装置は、複数の電子機器にそれぞれ対応して設けられ同色または異なる色で発光する複数の動作モード認識用発光素子と、前記リモコン装置から受信したキーコード信号が示す操作対象の電子機器に対応した動作モード認識用発光素子を点灯させる発光素子点灯手段とを含む構成を有するので、モード切換キーを操作すれば、該当する送信モード認識用発光素子が点灯し、設定された送信モードがどの電子機器に対応するモードであるかを、ユーザは知ることができ、これにより、リモコン装置の誤操作を防止して、各電子機器に対するリモコン操作を容易にする。更に、複合電子装置では、リモコン装置から受信したキーコード信号が示す操作対象の電子機器に対応した動作モード認識用発光素子を点灯させるので、複合電子装置の現在の動作モードを確認することができる。
【００２６】
このように、リモコン装置側に送信モード認識用発光素子を設けると共に、複合電子装置側に動作モード認識用発光素子を設けることにより、ユーザは、リモコン操作を確実に認識できて、誤操作を防止でき、装置の使い勝手が向上する。また、これにより、ユーザは、リモコン装置が故障していると勘違いして、メーカや販売店に問い合わせるなどのようなことがなくなる。
【発明を実施するための最良の形態】
【００２７】
以下、添付図面を参照しつつ、本発明の実施の形態について説明する。図１は本発明の一実施形態に係る複合型記録再生装置の構成を示すブロック図である。
【００２８】
この複合型記録再生装置Ａは、光ディスク記録再生装置としてのＤＶＤ（デジタル・バーサタイル・ディスク）レコーダ１と、磁気記録再生装置としてのＶＣＲ（ビデオ・カセット・レコーダ）２とから構成される。なお、ＶＣＲの代わりにＶＴＲ（ビデオ・テープ・レコーダ）でも良い。ＤＶＤレコーダ１には、入出力回路１１、チューナ／音多回路１２、ビデオデコーダ／スイッチ回路１３、オーディオエンコーダ／デコーダ／スイッチ回路１４、ビデオエンコーダ（ＯＳＤ）／スイッチ回路１５、システムコントローラ１６、記録／再生部１７、操作部１８、および電源部１９などが備えられている。ＶＣＲ２には、オーディオ処理回路２１、ＥＥＰＲＯＭ２２、ビデオ処理回路２３、システムコントローラ２４、記録／再生部２５、およびＬＥＤ（発光ダイオード）２６などが備えられている。
【００２９】
ＤＶＤレコーダ１において、電源部１９は、ＤＶＤレコーダ１の各構成要素およびＶＣＲ２の各構成要素に電源を供給する。チューナ／音多回路１２は、テレビ放送信号を受信して所望の放送局を選局して映像音声信号を出力すると共に、選局された放送局からの２ヶ国語音声信号またはステレオ音声信号を選択して出力する。オーディオエンコーダ／デコーダ／スイッチ回路１４は、チューナ／音多回路１２からの音声信号をエンコードするエンコーダと、ＶＣＲ２のオーディオ処理回路２１からの音声信号をデコードするデコーダと、チューナ／音多回路１２からの音声信号を、オーディオエンコーダ／デコーダ／スイッチ回路１４内のエンコーダに入力するか、ＶＣＲ２のオーディオ処理回路２１に出力するかの切り換えを行うスイッチ回路とを有している。
【００３０】
入出力回路１１は、外部機器からの映像信号を入力してビデオデコーダ／スイッチ回路１３に出力したり、オーディオエンコーダ／デコーダ／スイッチ回路１４からの音声信号を入力してテレビジョン受像機（ＴＶ）に出力すると共にビデオエンコーダ（ＯＳＤ）／スイッチ回路１５からの映像信号をテレビジョン受像機に出力したり、また、チューナ／音多回路１２からの映像信号を入力してビデオデコーダ／スイッチ回路１３に出力したりする。
【００３１】
入力出力ビデオデコーダ／スイッチ回路１３は、入出力回路１１からの映像信号をデコードするデコーダと、入出力回路１１からの映像信号を、前記デコーダに入力するか、ＶＣＲ２のビデオ処理回路２３に出力するかの切り換えを行うスイッチ回路とを有している。ビデオエンコーダ（ＯＳＤ）／スイッチ回路１５は、ビデオデコーダ／スイッチ回路１３からの映像信号をエンコードしてＯＳＤ処理するエンコーダ（ＯＳＤ）と、ビデオデコーダ／スイッチ回路１３からの映像信号をエンコーダによりエンコードしてから入出力回路１１に出力するか、システムコントローラ２４からの映像信号（コンポジット信号）を入出力回路１１に出力するかの切り換えを行うスイッチ回路とを有している。
【００３２】
記録／再生部１７は、ＤＶＤを回転させるスピンドルモータやＤＶＤに対して映像音声情報の書き込み／読み出しを光学的に行う光ピックアップなどを有する。この記録／再生部１７では、記録時には、ビデオエンコーダ（ＯＳＤ）／スイッチ回路１５からの映像信号およびオーディオエンコーダ／デコーダ／スイッチ回路１４からの音声信号にそれぞれ変調を掛けた変調映像音声信号を光ピックアップに入力してＤＶＤに映像音声情報を記録し、再生時には、光ピックアップにより読み出されたＤＶＤからのＲＦ信号に含まれる映像信号をビデオデコーダ／スイッチ回路１３に入力してデコードし、再生映像信号として出力すると共に、前記ＲＦ信号に含まれる音声信号をオーディオエンコーダ／デコーダ／スイッチ回路１４に入力してデコードし、再生音声信号として出力する。
【００３３】
操作部１８には、操作情報などを表示する表示部１８１、リモコン３からの赤外線のキーコード信号を受信する受信部１８２、動作モードを示すためのＬＥＤ（発光ダイオード）１８３、および各種操作を行うための複数の本体キー１８４などが備えられている。この操作部１８は、ＤＶＤレコーダ１の操作は勿論、ＶＣＲ２の操作にも用いられる。システムコントローラ１６は、ＤＶＤレコーダ１の各構成要素を制御する。また、表示駆動部２０には、リモコン装置３から受信したキーコード信号が示す操作対象の電子機器に対応したＤＶＤ動作モード認識用ＬＥＤ１８３またはＶＣＲ動作モード認識用ＬＥＤ２６を点灯させる発光素子点灯手段２０１と、リモコン装置３から受信したキーコード信号が示す操作対象の電子機器の名称を表示部１８１に表示させる名称表示手段２０２が備えられている。なお、表示部１８１に操作対象の電子機器の名称を表示させない場合は、名称表示手段２０２は不要である。
【００３４】
ＶＣＲ２において、オーディオ処理回路２１は、記録／再生部２５からの音声信号またはＤＶＤレコーダ１のオーディオエンコーダ／デコーダ／スイッチ回路１４からの音声信号を所定処理する。即ち、オーディオ処理回路２１は、記録／再生部２５からの再生音声信号を処理してＤＶＤレコーダ１のオーディオエンコーダ／デコーダ／スイッチ回路１４に入力したり、オーディオエンコーダ／デコーダ／スイッチ回路１４からの音声信号を記録／再生部２５で記録できるように処理して記録／再生部２５に入力したりする。
【００３５】
ビデオ処理回路２３は、記録／再生部２５からの映像信号またはＤＶＤレコーダ１のビデオデコーダ／スイッチ回路１３からの映像信号を所定処理する。即ち、ビデオ処理回路２３は、記録／再生部２５からの再生映像信号を処理してシステムコントローラ２４に入力したり、ビデオデコーダ／スイッチ回路１３からの映像信号を記録／再生部２５で記録できるように処理して記録／再生部２５に入力したりする。ＥＥＰＲＯＭ２１は、不揮発性メモリであり、電源がオフしたときでも、オフ前の動作状態を覚えさせておくなどに用いられる。
【００３６】
記録／再生部２５は、磁気テープ（ビデオカセットテープ）に対して映像音声情報を書き込んだり、読み出したりするための磁気ヘッドや、装填された磁気テープを走行させるテープ走行機構などを備えている。ＬＥＤ２６は、ＶＣＲ２が動作モードになっていることなどを示すための発光ダイオードである。システムコントローラ２４は、ＶＣＲ２の各構成要素を制御するものである。
【００３７】
ＤＶＤレコーダ１において、ラインＬ１はビデオエンコーダ（ＯＳＤ）／スイッチ回路１５からの映像信号を入出力回路１１に供給するための信号ラインである。ラインＬ２は、入出力回路１１からの映像信号をビデオデコーダ／スイッチ回路１３に供給するための信号ラインである。ラインＬ３は、オーディオエンコーダ／デコーダ／スイッチ回路１４からの音声信号を入出力回路１１に供給するための信号ラインである。ラインＬ４は、チューナ／音多回路１２からの音声信号をオーディオエンコーダ／デコーダ／スイッチ回路１４に供給するための信号ラインである。ラインＬ５は、ビデオデコーダ／スイッチ回路１３からの映像信号をビデオエンコーダ（ＯＳＤ）／スイッチ回路１５に供給するための信号ラインである。ラインＬ６は、システムコントローラ１６と記録／再生部１７との間の信号の授受を行うための信号ラインである。ラインＬ７は、システムコントローラ１６と操作部１８との間の信号の授受を行うための信号ラインである。
【００３８】
ラインＬ８は、ＤＶＤレコーダ１内の各構成要素およびＶＣＲ２内の各構成要素に電源を供給するための電源ラインである。ラインＬ９は、ＤＶＤレコーダ１のオーディオエンコーダ／デコーダ／スイッチ回路１４とＶＣＲ２のオーディオ処理回路２１との間で、左チャンネル音声信号および右チャンネル音声信号を伝送するための信号ラインである。ラインＬ１０は、ＤＶＤレコーダ１のビデオデコーダ／スイッチ回路１３からの映像信号をＶＣＲ２のビデオ処理回路２３に伝送するための信号ラインである。ラインＬ１１は、ＶＣＲ２のシステムコントローラ２４からの映像信号をＤＶＤレコーダ１のビデオエンコーダ（ＯＳＤ）／スイッチ回路１５に伝送するための信号ラインである。ラインＬ１３は、ＶＣＲ２のシステムコントローラ２４とＤＶＤレコーダ１のシステムコントローラ１６との間でデータの授受を行うためのデータバスラインである。
【００３９】
ＶＣＲ２において、ラインＬ１４は、オーディオ処理回路２１とＥＥＰＲＯＭ２２とビデオ処理回路２３とシステムコントローラ２４とを接続するデータバスラインである。ラインＬ１５は、オーディオ処理回路２１と記録／再生部２５との間で信号の授受を行うための信号ラインである。ラインＬ１６は、ビデオ処理回路２３と記録／再生部２５との間で信号の授受を行うための信号ラインである。ラインＬ１７は、システムコントローラ２４と記録／再生部２５との間で信号の授受を行うための信号ラインである。ラインＬ１８は、システムコントローラ２４からの駆動信号をＬＥＤ２６に供給するための信号ラインである。
【００４０】
図２は本実施形態においてリモコン装置の構成を示すブロック図である。図２において、リモコン装置３は、装置全体を制御するＣＰＵ３１と、このＣＰＵ３１の処理や制御に必要なプログラムが格納されたフラッシュＲＯＭ３２と、ＣＰＵ３１の処理や制御に必要なデータを一時的に格納するＲＡＭ３３とを内蔵したマイクロコンピュータ３０を備えている。また、リモコン装置３は、複合電子装置Ａ（図１参照）の電源をオン／オフ指令するための電源キー３４と、複合電子装置Ａの出力モードの切り換えを指令するためのモード切換キー３５と、複合電子装置Ａに組み込まれたＤＶＤレコーダ１やＶＣＲ２の動作を指令するための共通した複数の動作指令キー３６とを備えている。
【００４１】
また、リモコン装置３は、マイクロコンピュータ３０からのリモコン信号を受けて赤外線のキーコード信号を送信する送信部３７と、リモコンの送信モードがＤＶＤレコーダ１に対する送信モードになっていることをユーザに認識させるためのＤＶＤ認識用ＬＥＤ３８と、リモコンの送信モードがＶＣＲ２に対する送信モードになっていることをユーザに認識させるためのＶＣＲ認識用ＬＥＤ３９と、
マイクロコンピュータ３０からの送信モード信号によりＤＶＤ認識用ＬＥＤ３８またはＶＣＲ認識用ＬＥＤ３９を駆動させるＬＥＤ駆動回路４０とを備えている。
【００４２】
ＣＰＵ３１には、本実施形態の特徴として、ＤＶＤレコーダ１およびＶＣＲ２（図１参照）のうちの操作対象を指定するための押下型スイッチまたはスライド型スイッチで実現されるモード切換キー３５が操作されたとき、モード切換キー３５に対応して設けられたＤＶＤ認識用ＬＥＤ３８およびＶＣＲ認識用ＬＥＤ３９のうち、モード切換キー３５の操作に対応する認識用ＬＥＤを点灯させる第１の発光素子点灯手段３１１と、動作指令キー３６が押下されたとき、動作指令キー３６が操作される直前までの送信モード情報に応じて当該操作対象を示す動作モード認識用ＬＥＤを点灯させる第２の発光素子点灯手段３１２と、キーコード信号の送信動作後、所定時間経過したとき、点灯されている動作モード認識用ＬＥＤを消灯させる発光素子消灯手段３１３とが含まれている。
【００４３】
図３は本実施形態においてリモコン装置のキー配置の一例を示す図である。図３において、リモコン装置３は、電源キー３４、モード切換キーとしてのＤＶＤモード切換キー３５ａとＶＣＲモード切換キー３５ｂ、複数の数字キーなどを含む動作指令キー３６が備えられている。また、リモコン装置３には、本実施形態の特徴として、ＤＶＤモード切換キー３５ａの側にＤＶＤ認識用ＬＥＤ３８が配置され、ＶＣＲモード切換キー３５ｂの側にＶＣＲ認識用ＬＥＤ３９が配置されている。なお、ここでのキーの配置は一例であるので、これに限ることはない。
【００４４】
図４は図３に示すＤＶＤモード切換キー３５ａおよびＶＣＲモード切換キー３５ｂの代わりに用いられるスライドスイッチの構成図である。図４において、スライドスイッチ３５ｃは、ツマミ３５ｄを図から見て右方向にスライドさせると、ＤＶＤ送信モードに切り換えられ、ＤＶＤという文字が図４（１）に示すように表れ、そのときにＤＶＤ認識用ＬＥＤ３８が点灯するようになっている。また、スライドスイッチ３５ｃは、ツマミ３５ｄを図から見て左方向にスライドさせると、ＶＣＲ送信モードに切り換えられ、ＶＣＲという文字が図４（２）に示すように表れ、そのときにＶＣＲ認識用ＬＥＤ３９が点灯するようになっている。
【００４５】
図５は本実施形態における複合電子装置の簡略化した斜視図を示す。図５において、複合電子装置Ａは、筐体５１の前面の操作パネル（操作部）には、ＤＶＤを挿入するためのＤＶＤトレイ５２、ビデオカセットテープを挿入するためのビデオカセット挿入口５３、表示部１８１、ＤＶＤ動作モード認識用ＬＥＤ１８３、ＶＣＲ動作モード認識用ＬＥＤ２６などが備えられている。
【００４６】
図６は図５に示すＤＶＤ動作モード認識用ＬＥＤ１８３とＶＣＲ動作モード認識用ＬＥＤ２６が表示部１８１に設けられた場合の表示部の一例図である。また、図７は図６に示すＤＶＤ動作モード認識用ＬＥＤ１８３とＶＣＲ動作モード認識用ＬＥＤ２６を削除して表示部１８１に動作モードを示す文字（この場合、ＤＶＤ）が表示された場合の表示部の一例図である。
【００４７】
図８は本実施形態においてリモコン装置の送信モード認識用ＬＥＤを点灯させる処理などを説明するためのフローチャートである。このフローチャートおよび図１〜図３を参照してリモコン装置の送信モード認識用ＬＥＤを点灯させる処理などについて説明する。
【００４８】
先ず、リモコン装置３のモード切換キー３５が押下されると（ステップＳ１）、マイクロコンピュータ３０は、そのモード切換キー３５の押下が、ＤＶＤモード切換キー３５ａの押下であるか（ステップＳ２）、ＶＣＲモード切換キー３５ｂの押下であるか（ステップＳ９）を判定する。そして、ＤＶＤモード切換キー３５ａの押下であれば、マイクロコンピュータ３０は、ＣＰＵ３１の第１の発光素子点灯手段３１１の処理により、ＬＥＤ駆動回路４０を駆動させ、ＤＶＤ認識用ＬＥＤ３８を点灯させる（ステップＳ３）。
【００４９】
この後、リモコン装置３の動作指令キー３６が押下されると（ステップＳ４）、マイクロコンピュータ３０は、その動作指令キー３６の押下をＤＶＤ機能キーの押下であると判定すると（ステップＳ５）、ＤＶＤ機能キーコード信号を送信部３７から送信させる（ステップＳ６）。このＤＶＤ機能キーコード信号の送信後、所定時間経過すると（ステップＳ７）、マイクロコンピュータ３０は、ＣＰＵ３１の発光素子消灯手段３１３の処理により、ＬＥＤ駆動回路４０を駆動停止させ、ＤＶＤ認識用ＬＥＤ３８を消灯させる（ステップＳ８）。
【００５０】
一方、マイクロコンピュータ３０は、ＶＣＲモード切換キー３５ｂの押下があったと判定すると（ステップＳ９）、ＣＰＵ３１の第１の発光素子点灯手段３１１の処理により、ＬＥＤ駆動回路４０を駆動させ、ＶＣＲ認識用ＬＥＤ３９を点灯させる（ステップＳ１０）。
【００５１】
次に、リモコン装置３の動作指令キー３６が押下されると（ステップＳ１１）、マイクロコンピュータ３０は、その動作指令キー３６の押下をＶＣＲ機能キーの押下であると判定すると（ステップＳ１２）、ＶＣＲ機能キーコード信号を送信部３７から送信させる（ステップＳ１３）。このＶＣＲ機能キーコード信号の送信後、所定時間経過すると（ステップＳ７）、マイクロコンピュータ３０は、ＣＰＵ３１の発光素子消灯手段３１３の処理により、ＬＥＤ駆動回路４０を駆動停止させ、ＶＣＲ認識用ＬＥＤ３９を消灯させる（ステップＳ８）。
【００５２】
また、モード切換キー３５が押下されず（ステップＳ１）、動作指令キー３６が押下されると（ステップＳ１４）、マイクロコンピュータ３０のＣＰＵ３１は、フラッシュＲＯＭ３２に格納された直前までの送信モード情報を読み出し（ステップＳ１５）、この送信モード情報に基づいてリモコン装置３の送信モードがＤＶＤモードであるかＶＣＲモードであるかを判定する（ステップＳ１６）。送信モードがＤＶＤモードであると判定された場合は、マイクロコンピュータ３０は、ＣＰＵ３１の第２の発光素子点灯手段３１２の処理により、ＬＥＤ駆動回路４０を駆動させ、ＤＶＤ認識用ＬＥＤ３８を点灯させる（ステップＳ１７）。送信モードがＶＣＲモードであると判定された場合は、マイクロコンピュータ３０は、ＣＰＵ３１の第２の発光素子点灯手段３１２の処理により、ＬＥＤ駆動回路４０を駆動させ、ＶＣＲ認識用ＬＥＤ３９を点灯させる（ステップＳ１８）。
【００５３】
図９は本実施形態において複合電子装置の動作モード認識用ＬＥＤの点灯処理などを説明するためのフローチャートである。このフローチャートおよび図１〜図３を参照して複合電子装置の動作モード認識用ＬＥＤの点灯処理などについて説明する。
【００５４】
複合電子装置Ａは、リモコン装置３からの赤外線のキーコード信号を受信部１８２で受信すると（ステップＮ１）、受信部１８２で電気信号のキーコード信号に変換してシステムコントローラ１６に入力する。これにより、システムコントローラ１６は、そのキーコード信号が示すキーコードがＤＶＤ機能コードであるかＶＣＲ機能キーコードであるかをコードのフォーマットの違いで判定する（ステップＮ２）。
【００５５】
キーコードがＤＶＤ機能コードであると判定された場合は、システムコントローラ１６は、表示駆動部２０の発光素子点灯手段２０１を制御し、これにより、発光素子点灯手段２０１は、ＤＶＤ動作モード認識用ＬＥＤ１８３を点灯させ（ステップＮ３）、更に、システムコントローラ１６は、ＤＶＤ機能キーの操作があったと判定し（ステップＮ４）、ＤＶＤ機能動作を行わせる（ステップＮ５）。例えば、リモコン装置３の再生キー（ＰＬＡＹキー）が押下された場合は、ＤＶＤレコーダ１は、ＤＶＤ機能動作として再生動作を行う。そして、この再生動作が終了すれば、本処理は終える。
【００５６】
一方、キーコードがＶＣＲ機能コードであると判定された場合は、システムコントローラ１６は、表示駆動部２０の発光素子点灯手段２０１を制御し、これにより、発光素子点灯手段２０１は、ＶＣＲ動作モード認識用ＬＥＤ２６を点灯させ（ステップＮ７）、更に、システムコントローラ１６は、ＶＣＲ機能キーの操作があったと判定し（ステップＮ８）、ＶＣＲ機能動作を行わせる（ステップＮ９）。例えば、リモコン装置３の再生キー（ＰＬＡＹキー）が押下された場合は、ＶＣＲ２は、ＶＣＲ機能動作として再生動作を行う。そして、この再生動作が終了すれば、本処理は終える。
【００５７】
以上説明したように本実施形態によれば、リモコン装置のモード切換キーを操作すれば、該当する送信モード認識用ＬＥＤが点灯し、設定された送信モードがどの電子機器（ＤＶＤレコーダまたはＶＣＲ）に対応するモードであるかを、ユーザは知ることができ、また、リモコン装置の動作指令キーを操作すれば、該当する送信モード認識用ＬＥＤが点灯し、リモコン装置の現在設定されている送信モードがどの電子機器（ＤＶＤレコーダまたはＶＣＲ）に対応するモードであるかを、ユーザは知ることができ、これらにより、リモコン装置の誤操作を防止して、各電子機器に対するリモコン操作を容易にする。更に、複合電子装置では、リモコン装置から受信したキーコード信号が示す操作対象の電子機器（ＤＶＤレコーダまたはＶＣＲ）に対応した動作モード認識用発光素子を点灯させるので、複合電子装置の現在の動作モードを確認することができる。
【００５８】
このように、リモコン装置側に送信モード認識用発光素子を設けると共に、複合電子装置側に動作モード認識用発光素子を設けることにより、ユーザは、リモコン操作を確実に認識できて、誤操作を防止でき、装置の使い勝手が向上する。また、これにより、ユーザは、リモコン装置が故障していると勘違いして、メーカや販売店に問い合わせるなどのようなことがなくなる。また、キーコードの送信動作後、所定時間経過したとき、点灯されている送信モード認識用発光素子を消灯させるので、リモコン装置の内部電池の消耗を減らすことができる。
【００５９】
なお、図３に示すようなＤＶＤモード切換キー３５ａおよびＶＣＲモード切換キー３５ｂの代わりに図４で説明したようなスライドスイッチ３５ｃを用いても良い。また、図５に示すようなＤＶＤ動作モード認識用ＬＥＤ１８３とＶＣＲ動作モード認識用ＬＥＤ２６が図６で説明したように表示部１８１に設けても良い。また、図６に示すようなＤＶＤ動作モード認識用ＬＥＤ１８３とＶＣＲ動作モード認識用ＬＥＤ２６を削除して、図７で説明したように表示部１８１に動作モードを示す文字（操作対象の電子機器の名称）を表示しても良い。
【００６０】
以上説明した実施形態では、ＤＶＤレコーダとＶＣＲとの複合電子装置について説明したが、これに限らず、ハードディスクレコーダとＤＶＤレコーダ（またはＤＶＤプレーヤ）との複合電子装置、ハードディスクレコーダとＶＣＲとの複合電子装置、ハードディスクレコーダとＤＶＤレコーダ（またはＤＶＤプレーヤ）とＶＣＲとの複合電子装置などのように電子機器が複数個組み込まれた複合電子装置の何れであっても、本発明の複合電子装置は適用できる。
【図面の簡単な説明】
【００６１】
【図１】本発明の一実施形態に係る複合型記録再生装置の構成を示すブロック図である。
【図２】前記実施形態においてリモコン装置の構成を示すブロック図である。
【図３】前記実施形態においてリモコン装置のキー配置の一例を示す図である。
【図４】図３に示すＤＶＤモード切換キー３５ａおよびＶＣＲモード切換キー３５ｂの代わりに用いられるスライドスイッチの構成図である。
【図５】前記実施形態における複合電子装置の簡略化した斜視図を示す。
【図６】図５に示すＤＶＤ動作モード認識用ＬＥＤ１８３とＶＣＲ動作モード認識用ＬＥＤ２６が表示部１８１に設けられた場合の表示部の一例図である。
【図７】図６に示すＤＶＤ動作モード認識用ＬＥＤ１８３とＶＣＲ動作モード認識用ＬＥＤ２６を削除して表示部１８１に動作モードを示す文字（この場合ＤＶＤ）が表示された場合の表示部の一例図である。
【図８】前記実施形態においてリモコン装置の送信モード認識用ＬＥＤを点灯させる処理などを説明するためのフローチャートである。
【図９】前記実施形態において複合電子装置の動作モード認識用ＬＥＤの点灯処理などを説明するためのフローチャートである。
【符号の説明】
【００６２】
Ａ    複合電子装置
１    ＤＶＤレコーダ（電子機器）
２    ＶＣＲ（電子機器）
３    リモコン装置
２６    ＶＣＲ動作モード認識用ＬＥＤ（動作モード認識用発光素子）
３５    モード切換キー
３５ａ    ＤＶＤモード切換キー
３５ｂ    ＶＣＲモード切換キー
３５ｃ    スライドスイッチ
３６    動作指令キー
３８    ＤＶＤ認識用ＬＥＤ（送信モード認識用発光素子）
３９    ＶＣＲ認識用ＬＥＤ（送信モード認識用発光素子）
１８１    表示部
１８３    ＤＶＤ動作モード認識用ＬＥＤ（動作モード認識用発光素子）
２０１    発光素子点灯手段
２０２    名称表示手段
３１１    第１の発光素子点灯手段
３１２    第２の発光素子点灯手段
３１３    発光素子消灯手段
【図１】
2007189599.tif 000003
【図２】
2007189599.tif 000004
【図３】
2007189599.tif 000005
【図４】
2007189599.tif 000006
【図５】
2007189599.tif 000007
【図６】
2007189599.tif 000008
【図７】
2007189599.tif 000009
【図８】
2007189599.tif 000010
【図９】
2007189599.tif 000011